(57)【特許請求の範囲】
【請求項１】
対向する第１胴壁部（１）、（１）と、対向する第２胴壁部（２）、（２）とにより形成された四角筒状胴部（３）と、
前記第１胴壁部（１）、（１）の上下縁に連接された外フラップ（１０）、（１０）と、
前記第２胴壁部（２）、（２）の上下縁に連接された内フラップ（２０）、（２０）と、を備え、
箱組立状態で前記外フラップ（１０）、（１０）がそれぞれ前記内フラップ（２０）、（２０）の外側に重なると共に、その先端縁同士が前記第２胴壁部（２）、（２）の幅方向中央部で突き合わされるように形成された包装用紙箱において、
前記第２胴壁部（２）、（２）の幅方向中央部の上部表面に封緘用粘着テープに対する易剥離域（５）、（５）が形成され、この易剥離域（５）、（５）と第２胴壁部（２）、（２）の上縁（２５）、（２５）との間の表面が封緘用粘着テープに対する接着可能域（６）、（６）に形成され、
前記易剥離域（５）内における第２胴壁部（２）の壁体に、封緘用粘着テープの端部により全体的に覆われる部分であり、封緘用粘着テープを表面から箱の内部方向へ押して凹み易くするための凹み形成補助部（７）が形成されていることを特徴とする包装用紙箱。
【請求項２】
請求項１記載の包装用紙箱において、
封緘用粘着テープは透明の粘着テープであることを特徴とする包装用紙箱。
【発明の詳細な説明】
【技術分野】
【０００１】
本発明はダンボール箱等の包装用紙箱に係り、特に、包装時に用いられるＯＰＰ粘着テープやクラフト粘着テープや布製粘着テープ等の封緘用粘着テープを容易に剥がすことができる包装用紙箱に関する。
【背景技術】
【０００２】
従来のダンボール箱は、対向する第１胴壁部と、対向する第２胴壁部との４枚の胴壁部により四角筒状胴部が形成され、前記第１胴壁部の上下縁に外フラップが連接され、第２胴壁部の上下縁に内フラップが連接された構造になっている。
【０００３】
包装に際しては、あらかじめ下側の内フラップ及び外フラップを折り込んで底部を形成し、その状態で箱の内部に商品等を収納させた後、上側の内フラップと外フラップを折り込み、外フラップ同士の突き合わせ部分から第２胴壁部の上部にかけて封緘用粘着テープを接着するのが一般的である。
【０００４】
このようにして包装された段ボール箱を開封するには、第２胴壁部の上部において封緘用粘着テープの端部に爪等を強く立てるなどして封緘用粘着テープの端部を起こし、そこを指で掴んで引き剥すことが行われるが、手間がかかるという不都合がある。
【０００５】
特に、安価なため封緘用粘着テープとして近年多用されているＯＰＰ（延伸ポリプロピレン）粘着テープは、強度に優れているため比較的薄く形成され、さらにその接着力も高いことから、爪等を立てて端部を起こすことは極めて困難である。
【０００６】
また、カッターナイフ等を外フラップの突合せ部で走らせて封緘用粘着テープを切断し段ボール箱を開封することも行われるが、この場合、カッターナイフの取扱いに注意を要するほか、カッターナイフによって収納された商品等を傷つけてしまうおそれがあり、丁寧な作業を心がける必要がある。
【０００７】
また、このようにカッターナイフ等を用いて開封したとしても、段ボール箱をリサイクルして再パルプ化する際には、段ボール箱に残った封緘用粘着テープを除去する必要があり、封緘用粘着テープを引き剥がす手間が必要になることには変わりがない。
【０００８】
そこで、従来、封緘用粘着テープを簡単に引き剥がすことができるように、第２胴壁部の上部中央部に封緘用粘着テープの幅よりもやや大きな切離可能域を形成した段ボール箱が知られている（特許文献１参照）。
【０００９】
この従来の段ボール箱は、外フラップ同士の突き合わせ部分から第２胴壁部の上部にかけて封緘用粘着テープを接着して包装する際に、粘着テープの端部を切離可能域に位置するように接着させる。
そして、開封に際しては、切離可能域を起こし、そこを指で掴んで封緘用粘着テープと共に切離可能域を引き上げることによって、封緘用粘着テープを引き剥がすようにしたものである。
【先行技術文献】
【特許文献】
【００１０】
【特許文献１】実用新案登録第３１６４０５３号公報
【発明の概要】
【発明が解決しようとする課題】
【００１１】
この従来のダンボール箱では、切離可能域を掴んで封緘用粘着テープを引き剥がすことができるため、封緘用粘着テープに爪等を立てるなどして封緘用粘着テープの端部を起こすといった手間を必要とせず封緘用粘着テープを容易に剥ぎ取ることが可能になる。
【００１２】
しかしながら、開封に際し、切離可能域によって第２胴壁部の上部が完全に切り離されてしまうため、第２胴壁部の上部に封緘用粘着テープの幅よりもやや大きな孔が開いてしまう。
【００１３】
開封後のダンボール箱については、エコロジーの観点からこれを再使用（リユース）することができるようにすることも必要になるが、この場合、従来のように切離可能域の除去によって封緘用粘着テープの幅よりもやや大きな孔が開いてしまうと、再使用（リユース）に際し、封緘用粘着テープを接着させることができなくなるし、孔によって第２胴壁部の強度が弱くなり、包装箱として使用できなくなってしまうという問題が生じる。
【００１４】
本発明は、上記のような問題を解決するためになされたもので、開封に際し、封緘用粘着テープの端部だけを手間なく捲り（めくり）起すことができるようにして、その捲り起し部を指で掴んで封緘用粘着テープを容易に引き剥がすことができるようにした包装用紙箱を提供することを課題としている。
【課題を解決するための手段】
【００１５】
上記課題を解決するために、本発明は以下のように構成した。
即ち、本発明の請求項１記載の包装用紙箱は、
対向する第１胴壁部（１）、（１）と、対向する第２胴壁部（２）、（２）とにより形成された四角筒状胴部（３）と、
前記第１胴壁部（１）、（１）の上下縁に連接された外フラップ（１０）、（１０）と、
前記第２胴壁部（２）、（２）の上下縁に連接された内フラップ（２０）、（２０）と、を備え、
箱組立状態で前記外フラップ（１０）、（１０）がそれぞれ前記内フラップ（２０）、（２０）の外側に重なると共に、その先端縁同士が前記第２胴壁部（２）、（２）の幅方向中央部で突き合わされるように形成された包装用紙箱において、
前記第２胴壁部（２）、（２）の幅方向中央部の上部表面に封緘用粘着テープに対する易剥離域（５）、（５）が形成され、この易剥離域（５）、（５）と第２胴壁部（２）、（２）の上縁（２５）、（２５）との間の表面が封緘用粘着テープに対する接着可能域（６）、（６）に形成され、
前記易剥離域（５）内における第２胴壁部（２）の壁体に、封緘用粘着テープの端部により全体的に覆われる部分であり、封緘用粘着テープを表面から箱の内部方向へ押して凹み易くするための凹み形成補助部（７）が形成されている構成とした。
【００１６】
又、本発明の請求項２記載の包装用紙箱は、請求項１記載の包装用紙箱において、
封緘用粘着テープは透明の粘着テープである構成とした。
【発明の効果】
【００１７】
本発明の包装用紙箱は、第２胴壁部の幅方向中央部の上部表面に封緘用粘着テープに対する易剥離域を形成させた構成に特徴がある。
【００１８】
包装用紙箱を用いた包装に際しては、箱の内部に商品等を収納させた後、上面側の内フラップと外フラップを折り込み、外フラップ同士の突き合わせ部分から第２胴壁部の接着可能域を経て易剥離域まで封緘用粘着テープを接着することになる。
このとき、封緘用粘着テープの端部を易剥離域内に位置させることにより、この封緘用粘着テープの端部が易剥離域に対して剥がれ易い状態で付着させることができる。
これにより、開封に際し、緘用粘着テープの端部を爪先等で軽く捲り起すことができ、そこを指で掴んで容易に緘用粘着テープ引き剥すことができる。
【００１９】
又、易剥離域と第２胴壁部の上縁との間の表面を封緘用粘着テープに対する接着可能域に形成させたので、包装に際し、封緘用粘着テープを第２胴壁部に確実に接着させて封緘させることができる。
【００２０】
仮に、易剥離域を第２胴壁部の上縁まで形成させて接着可能域が無いとすれば、封緘用粘着テープを第２胴壁部に対して確実に接着させることができなくなり、封緘不良になってしまう。
この点から見ても本発明の接着可能域は、易剥離域を形成したことに関連した必須の構成であり、言い換えれば、接着可能域を形成させたので易剥離域を形成することが可能になったと言えるものである。
【００２１】
又、前記易剥離域内における第２胴壁部の壁体に、凹み形成補助部（例えば、切り込み線や孔）を形成させると、この凹み形成補助部で封緘用粘着テープを表面から箱の内部方向へ押して凹ませれば、封緘用粘着テープを歪み変形させて端部を易剥離域の表面から容易に剥離させることができる。
従って、緘用粘着テープの端部を爪先等で捲り起すといった面倒な手間を省略させることができる。
【００２２】
前記凹み形成補助部は緘用粘着テープの上から見えることが好ましく、従って、この凹み形成補助部を形成させた構造の包装用紙箱については、透明のＯＰＰ粘着テープを封緘用粘着テープとして用いた場合に好適である。
【００２３】
以上のように、本発明によれば、封緘用粘着テープを容易に剥ぎ取ることができるので開封作業が容易になるし、再パルプ化する際に封緘用粘着テープを剥ぎ取る作業が不要になるためリサイクルが容易になる。
【００２４】
又、開封に際し、封緘用粘着テープによって接着可能域の表面が剥ぎ取られるものの、従来と異なり、第２胴壁部の上部に大きな孔が開いてしまうといったことがないので、包装箱としての強度を維持することができ、これを再使用（リユース）することが可能になる。
【図面の簡単な説明】
【００２５】
【図１】本発明の実施例に係るダンボール箱（包装用紙箱）を示す斜視図。
【図２】そのダンボール箱を示す展開図。
【図３】そのダンボール箱を示す要部の斜視図。
【図４】そのダンボール箱の使用方法の例を示す要部の斜視図。
【図５】他例のダンボール箱を示す斜視図。
【図６】他例のダンボール箱を示す斜視図。
【図７】他例のダンボール箱を示す斜視図。
【発明を実施するための形態】
【００２６】
以下の実施例において、包装用紙箱としてダンボール箱を例にとる。
実施例のダンボール箱は、２面の第１胴壁部１、１と、２面の第２胴壁部２、２を備え、各胴壁部１、２、１、２は折り線８０、８１、８２を介して一体に連接されている。
【００２７】
前記第１胴壁部１の側端には糊代片１１が折り線８３を介して一体に連接され、前記各折り線８０、８１、８２から折り曲げて糊代片１１を第２胴壁部２の側端に接合させることで、第１胴壁部１、１が対向し、第２胴壁部２、２が対向した四角筒状胴部３を形成させることができる。
【００２８】
実施例では、第１胴壁部１の横幅Ｌ１を、第２胴壁部２の横幅Ｌ２よりも広幅に形成させることにより平面視で長方形の四角筒状胴部３を形成させている。尚、前記四角筒状胴部３は平面視で正方形に形成したものでもよい。
【００２９】
前記第１胴壁部１の上下縁にはそれぞれ外フラップ１０、１０が折り線１３を介して一体に連接され、第２胴壁部２の上下縁にはそれぞれ内フラップ２０、２０が折り線２３を介して一体に連接されている。
【００３０】
前記外フラップ１０の高さＨ１は前記第２胴壁部の横幅Ｌ２の半分(１／２)に形成され、前記内フラップ２０の高さＨ２は外フラップ１０の高さＨ１と同一に形成されている。
これにより、箱組立状態で、外フラップ１０、１０の先端縁同士を前記第２胴壁部２の幅方向中央部で突き合わせることができる。
【００３１】
そして、包装に際しては、下側の内フラップ２０及び外フラップ１０を折り込んで底部を形成し、その状態で箱の内部に商品等を収納させた後、上側の内フラップ２０と外フラップ１０を折り込み、外フラップ１０、１０同士の突き合わせ部分９から第２胴壁部２の上部にかけて封緘用粘着テープＦを接着させることになる。
【００３２】
前記第２胴壁部２の幅方向中央部の上部表面には封緘用粘着テープＦに対する易剥離域５が形成されている。
この易剥離域５は、第２胴壁部２の表面に易剥離性に優れた成分構成の剥離剤を印刷等で塗布したり、表面が剥離面に形成された粘着シールや粘着ラベル等を接着したりするなどの易剥離処理を施して形成される。
尚、剥離剤としては、シリコン系、セラック系、アルキル系、フッ素系、蝋、ワックスなどを使用できる。
【００３３】
前記易剥離域５のサイズについては、この易剥離域５内に封緘用粘着テープＦの端部を位置させ易いようにするため、図３に示すように、その横幅Ａ１は封緘用粘着テープＦの幅Ｆ１と同一幅か若干広幅に形成するのが好ましく、一般に広く用いられている封緘用粘着テープＦの幅Ｆ１が５０ｍｍであることから、易剥離域５の横幅Ａ１は５０〜７０ｍｍ程度が好ましいが、５０ｍｍよりも若干狭くても差し支えない。
又、易剥離域５の縦幅Ａ２は、剥離剤の無駄を少なくさせる点を考慮して決めることになるが、通常は２０〜５０ｍｍ程度が適当と考える。
又、易剥離域５の形状についても、方形、円形、楕円形等、適宜である。
【００３４】
前記易剥離域５と第２胴壁部２の上縁２５との間の表面が封緘用粘着テープＦに対する接着可能域６に形成されている。
この接着可能域６は、易剥離処理を何ら施さずに第２胴壁部２の表面地肌のままであり、その縦幅Ｂ１は、封緘用粘着テープＦが確実に接着でき得ることを考慮して決めることになるが、通常は２０〜５０ｍｍ程度が適当と考える。
【００３５】
前記易剥離域５内の中央部分における第２胴壁部２の壁体には、封緘用粘着テープＦを表面から箱の内部方向へ押して凹み易くするための凹み形成補助部７が形成されている。
実施例の凹み形成補助部７は、図３に示すように、第２胴壁部２の壁体を貫通させた４本の切り込み線７０を交差させるように形成したもので、図４に示すように、その交差部分を封緘用粘着テープＦの上から指先で押すことで第２胴壁部２の壁体を凹ませる。
これにより封緘用粘着テープＦを歪み変形させて端部を易剥離域５の表面から容易に剥離させることができる。
【００３６】
このようにして封緘用粘着テープＦの端部を易剥離域５の表面から剥離させ、その剥離部分を指で掴むことができるため、従来とは異なり、封緘用粘着テープＦの端部を爪先等で強く捲り起すといった面倒な手間を省略させることができる。
【００３７】
前記凹み形成補助部７としては、図３で示したものに限らず、例えば、１本の切り込み線７０を形成したもの、２本又は３本の切り込み線を交差させたもの、切り込み線をＵ字状に形成したもの、図５に示すように切り込み線７０をＣ字状に形成したもの、図６に示すように切り込み線７０をＶ字状に形成したもの、図７に示すように指先太さ程度の抜き孔７１を形成したもの、その他、箱の内部方向へ押して凹み易くするためのものあれば、その形状や構造は任意である。
又、前記した切り込み線７０については連続した切り込み線でもよいし、切り込み部と非切り込み部とを交互に連続させたミシン目線でもよい。
【００３８】
尚、前記実施例ではダンボール箱を包装用紙箱の例としたが、ダンボール箱に限らず、厚板紙やボール紙による包装用紙箱にも本発明を適用できる。
【符号の説明】
【００３９】
１  第１胴壁部
１０  外フラップ
２  第２胴壁部
２０  内フラップ
２５  上縁
３  四角筒状胴部
５  易剥離域
６  接着可能域
７  凹み形成補助部
【図１】
0005739227.tif 000002
【図２】
0005739227.tif 000003
【図３】
0005739227.tif 000004
【図４】
0005739227.tif 000005
【図５】
0005739227.tif 000006
【図６】
0005739227.tif 000007
【図７】
0005739227.tif 000008